(57)【要約】【課題】  スイッチ部が外部からの衝撃を受け難くして、スイッチ部を良好に保護することができる携帯端末を提供する。【解決手段】  電池挿脱のための開口部１１ａが、端末本体である機器ケース１の一端に偏った位置であって機器ケース１の裏面側に、設けられた電池収納部１１と、開口部１１ａを覆うための電池蓋１０と、機器ケース１の裏面側であって電池収納部１１よりも機器ケース１の他端寄りに設けられた下面トリガーキー２０と、を備え、電池蓋１０は、機器ケース１の一端から下面トリガーキー２０を超えた位置まで延長されて設けられている。従って、機器ケース１の裏面を電池蓋１０で覆って保護することができるので、外部からの衝撃を電池蓋１０で受け止めることができる。【選択図】        図５
2019022159.tif 000002
【特許請求の範囲】
【請求項１】
電池挿脱のための開口部が、端末本体の一端に偏った位置であって前記端末本体の所定の面側に、設けられた電池収納部と、
前記開口部を覆うための電池蓋と、
前記端末本体の前記所定の面側であって前記電池収納部よりも前記端末本体の他端寄りに設けられたスイッチ部と、
を備え、
前記電池蓋は、前記一端から前記スイッチ部を超えた位置まで延長されて設けられている、
ことを特徴とする携帯端末。
【請求項２】
請求項１に記載の携帯端末において、
前記スイッチ部は、被押圧操作部が前記電池蓋から露出するように設けられている、
ことを特徴とする携帯端末。
【請求項３】
請求項１または請求項２に記載の携帯端末において、
前記所定の面に膨らみを持たせる形状に形成されている、
ことを特徴とする携帯端末。
【請求項４】
請求項１〜請求項３のいずれかに記載の携帯端末において、
前記電池収納部及び前記スイッチ部は、ユーザが所定の態様で前記端末本体を把握するためのグリップ部に設けられている、
ことを特徴とする携帯端末。
【請求項５】
請求項１〜請求項３のいずれかに記載の携帯端末において、
前記電池蓋は、ユーザが所定の態様で前記端末本体を把握するためのグリップ部に設けられている、
ことを特徴とする携帯端末。
【発明の詳細な説明】
【技術分野】
【０００１】
この発明は、手に持って使用する携帯端末に関する。
【背景技術】
【０００２】
例えば、手に持って使用する携帯端末においては、特許文献１に記載されているように、機器ケースの下面が湾曲形状に形成されていると共に、この機器ケースの下面に指掛突起部を設け、機器ケースの上面にユーザの保持手の母指を配置させ、機器ケースの下面に他の指を配置させて示指を指掛突起部に引っ掛けた状態で、機器ケースを片手で握るように構成されたものが知られている。
【先行技術文献】
【特許文献】
【０００３】
【特許文献１】特開平１０−１１２８９１号公報
【０００４】
すなわち、この種の携帯端末は、機器ケースの上面に設けられた操作部上に母指を配置させ、機器ケースの下面に他の指を配置させて機器ケースを片手で握った状態で、機器ケースの下面に設けられた指掛突起部に示指をピストルの引金に掛けるのと同じように引っ掛けることにより、母指で上面の操作部を操作すると共に、下面の指掛突起部に設けられたスイッチキーを示指でキー操作するように構成されている。
【０００５】
この場合、この携帯端末は、機器ケースの下面に指掛突起部を設けると共に、機器ケースの内部にスイッチキーを指掛突起部から露出させた状態で設け、この指掛突起部を除く機器ケースの下面に電池蓋を設けた構造になっている。
【発明の概要】
【発明が解決しようとする課題】
【０００６】
このような携帯端末では、指掛突起部が下面に突出して設けられた機器ケースの内部にスイッチキーを指掛突起部から外部に露出させた状態で設けた構造であるから、指掛突起部が衝撃を受け易く傷つき易いほか、指掛突起部が受けた衝撃によってスイッチキーが破損し易いという不都合がある。
【０００７】
この発明が解決しようとする課題は、スイッチ部が外部からの衝撃を受け難くして、スイッチ部を良好に保護することができる携帯端末を提供することである。
【課題を解決するための手段】
【０００８】
この発明は、電池挿脱のための開口部が、端末本体の一端に偏った位置であって前記端末本体の所定の面側に、設けられた電池収納部と、前記開口部を覆うための電池蓋と、前記端末本体の前記所定の面側であって前記電池収納部よりも前記端末本体の他端寄りに設けられたスイッチ部と、を備え、前記電池蓋は、前記一端から前記スイッチ部を超えた位置まで延長されて設けられている、ことを特徴とする携帯端末である。
【発明の効果】
【０００９】
この発明によれば、スイッチ部が外部からの衝撃を受け難くすることができ、これによりスイッチ部を良好に保護することができる。
【図面の簡単な説明】
【００１０】
【図１】この発明を携帯端末に適用した一実施形態を示した正面図である。
【図２】図１に示された携帯端末の裏面図である。
【図３】図２に示された携帯端末を左側から見た側面図である。
【図４】図１に示された携帯端末を裏面側から見た斜視図である。
【図５】図４に示された携帯端末のＡ−Ａ矢視における断面を示した斜視図である。
【図６】図４に示された携帯端末において、電池蓋を取り外した状態を示した斜視図である。
【図７】図４に示された携帯端末の電池蓋を示した斜視図である。
【図８】図７に示された電池蓋のＢ−Ｂ矢視における断面を示した斜視図である。
【図９】図５に示された携帯端末の下面トリガーキーを示した拡大断面図である。
【図１０】図６に示された携帯端末のＣ−Ｃ矢視における断面を示した拡大斜視図である。
【発明を実施するための形態】
【００１１】
以下、図１〜図１０を参照して、この発明を適用した携帯端末の一実施形態について説明する。
この携帯端末は、図１〜図４に示すように、端末本体である機器ケース１を備えている。この機器ケース１は、縦方向（図１では上下方向）に長い縦長のほぼ長方形状に形成されている。
【００１２】
この機器ケース１は、図１〜図４に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１３】
また、この機器ケース１は、図１〜図５に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１４】
この場合、上部ケース２の上面である表面における上辺側の幅広部には、図１および図５に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１５】
この表示部４は、図１および図５に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１６】
下部ケース３は、図２〜図４に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００１７】
この光学読取部６は、図２〜図５に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００１８】
これにより、光学読取部６は、図２〜図５に示すように、レーザ読取部がレーザ光線を読取突起部６ａの第１窓部６ｂから機器ケース１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００１９】
また、機器ケース１の縦方向（長手方向）におけるほぼ中間部、つまり幅広部１ａと幅狭部１ｂとの境界部側に位置する幅広部１ａの両側部には、図１〜図５に示すように、側面トリガーキー８がそれぞれ設けられている。これら側面トリガーキー８およびキー操作部５の上面トリガーキー５ａは、光学読取部６による読取動作を実行させるためのものである。
【００２０】
さらに、この機器ケース１の下辺部側に位置する幅狭部１ｂには、図２〜図６に示すように、電池蓋１０で覆われる電池収納部１１がキー操作部５に対応して設けられている。この電池収納部１１は、充電池１２を収納するものであり、機器ケース１の幅狭部１ｂに設けられたキー操作部５に対応した状態で、機器ケース１の幅狭部１ｂの内部に設けられ、機器ケース１の裏面に設けられた開口部１１ａによって裏面側に開放されている。
【００２１】
この場合、電池収納部１１と光学読取部６との間に位置する下部ケース３の裏面には、図２および図４に示すように、電池収納部１１を開閉可能に覆う電池蓋１０を下部ケース３に着脱可能に取り付けるための一対の取付レバー１３が設けられている。すなわち、一対の取付レバー１３は、機器ケース１の両側部に設けられた側面トリガーキー８の近傍に設けられている。これら一対の取付レバー１３は、これらを回転操作させて、電池蓋１０の上辺部の縁部を下部ケース３の裏面に係脱可能に係止させるように構成されている。
【００２２】
これにより、電池蓋１０は、図２、図４および図５に示すように、電池収納部１１の開口部１１ａを開閉可能に覆った状態で、上辺部の縁部が一対の取付レバー１３によって係止されることにより、電池収納部１１の下辺部側から後述する下面トリガーキー２０を超えた状態で、下部ケース３の裏面に取り付けられるように構成されている。また、この電池蓋１０は、その下辺部側の端部に支点突起部１０ａが設けられ、この支点突起部１０ａを支点として回転することにより、電池収納部１１を開閉するように構成されている。
【００２３】
ところで、機器ケース１の下辺部側に位置する幅狭部１ｂには、図１〜図４に示すように、機器ケース１の第１の面である表面と、その反対側に位置する第２の面である裏面とに跨ってユーザの一方の手により把握可能なグリップ部１４が設けられている。このグリップ部１４は、ユーザの一方の手の母指Ｆ１を機器ケース１の表面に被せ機器ケース１の脇側から延ばした他の指Ｆ２〜Ｆ５で機器ケース１の裏面を支えるような把握態様で、ユーザの一方の手により把握可能に構成されている。
【００２４】
すなわち、このグリップ部１４は、図１〜図４に示すように、機器ケース１の幅狭部１ｂである上部ケース２の幅狭部と、下部ケース３の幅狭部と、下部ケース３の電池蓋１０と、で構成されている。この場合、グリップ部１４における上部ケース２の幅狭部と下部ケース３の幅狭部との各側面部は、ユーザがグリップ部１４を上述した把握態様で把握する手を自然に湾曲させる円弧状の湾曲面に形成されている。また、下部ケース３の電池蓋１０は、下部ケース３の両側部から裏面側に向けて緩やかに湾曲して突出する湾曲形状に形成されている。
【００２５】
これにより、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様のときに、ユーザの他の指Ｆ２〜Ｆ５が機器ケース１の裏面に自然に曲がって巻き付くような形状に形成されている。
【００２６】
このため、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様でユーザが一方の手で機器ケース１を保持した際に、ユーザの把握手がフィットすることにより、ユーザの手の大きさに係わらず、ユーザが片手で握り易い形状に形成されている。
【００２７】
また、このグリップ部１４のうち、裏面に位置する電池蓋１０には、図２〜図５に示すように、ユーザが母指Ｆ１を機器ケース１の表面に被せ機器ケース１の脇側から延ばした他の指Ｆ２〜Ｆ５で機器ケース１の裏面を支えるような把握態様でユーザが一方の手で機器ケース１を保持した際に、ユーザが把握する手の示指Ｆ２と中指Ｆ３との間に膨らみを持たせる形状に盛り上がる盛上り部１５が設けられている。
【００２８】
この場合、機器ケース１の裏面には、図２〜図５に示すように、えぐれ部１６がグリップ部１４とこのグリップ部１４の延長上に位置する機器ケース１の他端部側との間に窪んで設けられている。すなわち、このえぐれ部１６は、電池蓋１０の盛上り部１５と光学読取部６の読取突起部６ａとの間に窪んだ状態で設けられている。
【００２９】
これにより、えぐれ部１６は、図２〜図５に示すように、ユーザがキー操作部５を母指Ｆ１で操作すべく、ユーザが母指Ｆ１を機器ケース１の表面に被せ機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２がグリップ部１４側に位置するえぐれ部１６の斜面に配置されるように構成されている。
【００３０】
この場合、盛上り部１５は、図２〜図５に示すように、ユーザがキー操作部５を母指Ｆ１で操作すべく、ユーザが母指Ｆ１を機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２と中指Ｆ３との間に位置する山形状の頭頂部１５ａを有している。この頭頂部１５ａは、ユーザが把握する手の示指Ｆ２と中指Ｆ３との間に位置して、示指Ｆ２と中指Ｆ３との屈曲形状に沿って湾曲状に連続するように形成されている。
【００３１】
すなわち、この頭頂部１５ａは、図２〜図５に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この盛上り部１５は、頭頂部１５ａの一方側の裾野である第１の指掛領域１７と、頭頂部１５ａの他方側の裾野である第２の指掛領域１８と、を備えている。
【００３２】
第１の指掛領域１７は、図２〜図５に示すように、ユーザが上述した把握態様でグリップ部１４を把握した際に、示指Ｆ２が押し当てられる斜面であり、電池蓋１０の上辺部側から頭頂部１５ａに向けて急な傾斜面に形成されている。第２の指掛領域１８は、ユーザが上述した把握態様でグリップ部１４を把握した際に、中指Ｆ３〜小指Ｆ５が押し当てられる斜面であり、頭頂部１５ａから電池蓋１０の下辺側に向けて緩やかに傾斜する傾斜面に形成されている。
【００３３】
すなわち、第１の指掛領域１７は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様のときに、ユーザが把握する手の示指Ｆ２の腹が電池蓋１０の縦方向（長手方向）における下辺部側、つまりユーザが把握する手側に向けて押し当てられて配置されるような傾斜面に形成されている。
【００３４】
この第１の指掛領域１７は、図２〜図５に示すように、グリップ部１４側に位置するえぐれ部１６の傾斜面であり、電池蓋１０の上辺側に位置する上辺側から頭頂部１５ａに向けて急な角度で立ち上る傾斜面に形成されている。また、この第１の指掛領域１７は、機器ケース１の縦方向（長手方向）と直交する横方向に連続する頭頂部１５ａに沿って示指Ｆ２の屈曲状態に対応する円弧状に湾曲して形成されている。
【００３５】
このため、この盛上り部１５は、図２〜図５に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を握った際に、ユーザの示指Ｆ２が第１の指掛領域１７の湾曲に沿って屈曲した形状で、その示指Ｆ２の腹が第１の指掛領域１７に押し当てられ、この状態で第１の指掛領域１７を機器ケース１の縦方向における下辺部側、つまりユーザが把握する手側に向けて引き寄せるように構成されている。
【００３６】
一方、第２の指掛領域１８は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、ユーザが把握する手の他の指Ｆ３〜Ｆ５の各腹がグリップ部１４の電池蓋１０を機器ケース１に向けて押し当てて、ユーザの中指Ｆ３〜小指Ｆ５が並んだ状態で自然に曲がるような湾曲面に形成されている。
【００３７】
すなわち、この第２の指掛領域１８は、図２〜図４に示すように、頭頂部１５ａから電池蓋１０の下辺側に向けて緩やかに傾斜する湾曲面に形成されている。これにより、この第２の指掛領域１８は、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、示指Ｆ２以外の指Ｆ３〜Ｆ５が並んで自然な状態で曲がるように、電池蓋１０の裏面側に向けて凸となる緩やかな湾曲形状に形成されている。
【００３８】
さらに、この機器ケース１は、図１〜図５に示すように、グリップ部１４が機器ケース１の横方向における中心位置を軸にして左右対称な形状で形成されている。これにより、この機器ケース１は、ユーザがグリップ部１４を握る際に、ユーザが右手でも、また左手でも、同じように握れるように構成されている。
【００３９】
ところで、電池蓋１０は、図５、図９および図１０に示すように、電池収納部１１の下辺部の端部から盛上り部１５の第１の指掛領域１７を超えて下部ケース３の裏面に設けられた一対の取付レバー１３に向けて延長されている。すなわち、この電池蓋１０は、一対の取付レバー１３に向けて延長された延長部１７ａが後述する下面トリガーキー２０を超えるように形成されている。
【００４０】
また、この電池蓋１０は、図５、図９および図１０に示すように、盛上り部１５の第１の指掛領域１７および延長部１７ａが、下部ケース３に設けられた蓋保持部２３の裏面に配置されて保持されるように構成されている。この蓋保持部２３は、第１の指掛領域１７と同じ形状に盛り上がって形成されている。
【００４１】
この蓋保持部２３の内部には、図５、図９および図１０に示すように、下面トリガーキー２０が設けられている。この下面トリガーキー２０は、キー操作部５の上面トリガーキー５ａおよび側面トリガーキー８と同様、光学読取部６による読取動作を実行させるためのものである。この下面トリガーキー２０は、スイッチ本体２０ａと操作釦２０ｂとスイッチ保持部２０ｃとを備えている。
【００４２】
すなわち、この下面トリガーキー２０のスイッチ保持部２０ｃは、図５、図９および図１０に示すように、第１の指掛領域１７に対応する蓋保持部２３内に配置された状態で、蓋保持部２３の内面にビス２３ｂによって取り付けられている。スイッチ本体２０ａは、第１の指掛領域１７の傾斜面と平行に傾斜した状態で、スイッチ保持部２０ｃに保持されている。このスイッチ本体２０ａは、機器ケース１の幅広部１ａ内に設けられた回路基板２２にフレキシブルな配線シート２２ａによって電気的に接続されている。
【００４３】
操作釦２０ｂは、図５、図９および図１０に示すように、被押圧操作部であり、電池蓋１０の第１の指掛領域１７の傾斜面と平行に傾斜した状態でスイッチ本体２０ａに設けられ、蓋保持部２３に設けられた釦孔２３ａを通して、電池蓋１０の第１の指掛領域１７に設けられた釦挿入孔２１内に配置されている。これにより、操作釦２０ｂは、機器ケース１の外部から押圧操作された際に、スイッチ本体２０ａをオン動作させるように構成されている。この場合、操作釦２０ｂは、機器ケース１の外部に突出しない状態で指当部１７ａの釦挿入孔２１内に配置されている。
【００４４】
このため、下面トリガーキー２０は、図５、図９および図１０に示すように、ユーザが機器ケース１のグリップ部１４を片手で握った際に、ユーザが把握する手の示指Ｆ２が屈曲した形状で示指Ｆ２の腹が第１の指掛領域１７にその湾曲に沿って押し当てられ、この状態で盛り上がり部１５を機器ケース１の下辺部側つまりユーザが把握する手側に向けて引き寄せても、操作釦２０ｂが示指Ｆ２の腹で押し込まれることがなく、スイッチ本体２０ａがオン動作しないように構成されている。
【００４５】
また、この下面トリガーキー２０は、図５、図９および図１０に示すように、ユーザが機器ケース１のグリップ部１４を片手で握り、ユーザが把握する手の示指Ｆ２が屈曲した形状で、その示指Ｆ２の腹が第１の指掛領域１７にその湾曲に沿って押し当てられた状態で、示指Ｆ２の腹が盛上り部１５を機器ケース１の下辺部側つまりユーザが把握する手側に向けて引き寄せられて、示指Ｆ２の腹が釦挿入孔２１に強く押し込まれると、操作釦２０ｂが示指Ｆ２の腹によって押し込まれてスイッチ本体２０ａがオン動作するように構成されている。
【００４６】
次に、このような携帯端末の作用について説明する。
この携帯端末を使用する場合には、まず、機器ケース１の裏面に電池蓋１０を取り付けて、機器ケース１の幅狭部１ｂに設けられた電池収納部１１の開口部１１ａを覆う。このときには、電池蓋１０の下辺部側の端部を電池収納部１１の下辺側の内周部に装着させ、この装着された電池蓋１０の端部の支点突起部１０ａを支点として、電池蓋１０を回転させて電池蓋１０の上辺部を下部ケース３の蓋保持部２３上に配置させる。
【００４７】
すると、電池蓋１０の第１の指掛領域１７の延長部１７ａが、下面トリガーキー２０を超えて下部ケース３の蓋保持部２３上に配置される。このときには、電池蓋１０に設けられた釦挿入孔２１が蓋保持部２３の釦孔２３ａに対応し、この釦孔２３ａを通して下面トリガーキー２０の操作釦２０ｂが蓋保持部２３の釦孔２３ａに挿入される。この場合、操作釦２０ｂは、機器ケース１の外部に突出しない状態で第１の指掛領域１７の釦挿入孔２１内に配置される。
【００４８】
また、このときには、電池蓋１０の上辺部の縁部が、下部ケース３の裏面に設けられた一対の取付レバー１３に対応する。このため、これら一対の取付レバー１３を回転操作させることにより、一対の取付レバー１３によって電池蓋１０の上辺部の縁部が下部ケース３の裏面に押し付けられて係止される。これにより、電池蓋１０が、下面トリガーキー２０を超えた状態で、電池収納部１１の開口部１１ａを覆って下部ケース３の裏面に取り付けられる。
【００４９】
このような携帯端末を使用する場合には、電池蓋１０が位置する箇所のグリップ部１４をユーザが一方の手で握って機器ケース１を保持する。すなわち、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが一方の手でグリップ部１４を把握する。
【００５０】
このときには、母指Ｆ１が機器ケース１の表面のキー操作部５上に配置され、ユーザが把握する手の示指Ｆ２と中指Ｆ３との間に膨らみを持たせる形状の盛上り部１５の頭頂部１５ａが配置され、この状態で示指Ｆ２の腹が機器ケース１の裏面側に位置する電池蓋１０の盛上り部１５における第１の指掛領域１７に押し当てられ、他の指Ｆ３〜Ｆ５の各腹が盛上り部１５の第２の指掛領域１８上に配置される。
【００５１】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を電池蓋１０の盛上り部１５における第１の指掛領域１７の傾斜面に押し当て、この状態で第１の指掛領域１７を機器ケース１の下辺部側つまりユーザが把握する手側に向けて、その把握手の示指Ｆ２を引き寄せる。
【００５２】
この場合、示指Ｆ２の腹が電池蓋１０の盛上り部１５における第１の指掛領域１７の傾斜面に押し当てられ、機器ケース１の下辺部側つまりユーザが把握する手側に向けて引き寄せられると、示指Ｆ２が第１の指掛領域１７にその湾曲に沿って自然な状態で屈曲して押し当てられる。
【００５３】
このときには、ユーザが把握する手の示指Ｆ２が第１の指掛領域１７にその湾曲に沿って屈曲した形状で押し当てられても、示指Ｆ２の腹が第１の指掛領域１７の釦挿入孔２１に深く食い込むことがない。このため、操作釦２０ｂが示指Ｆ２の腹によって押し込まれることがないので、スイッチ本体２０ａがオン動作することがない。
【００５４】
また、このときには、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の他の指Ｆ３〜Ｆ５の各腹が盛上り部１５の第２の指掛領域１８上に押し当てられる。この状態では、指Ｆ３〜Ｆ５が第２の指掛領域１８の湾曲に沿って自然に曲がった状態で並んで配置される。
【００５５】
これにより、ユーザが把握する手の示指Ｆ２と中指Ｆ３との間に、膨らみを持たせる形状の盛上り部１５の頭頂部１５ａが配置された状態で、中指Ｆ３〜小指Ｆ５が盛上り部１５の第２の指掛領域１８を包み込むように自然に曲がった状態で第２の指掛領域１８に並んで配置される。このため、指Ｆ３〜Ｆ５が第２の指掛領域１８の湾曲面に沿って安定した状態で良好に配置される。これによって、ユーザが片手で機器ケース１のグリップ部１４を確実にかつ良好に把握することができる。
【００５６】
このように、ユーザが機器ケース１のグリップ部１４を握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００５７】
また、ユーザが機器ケース１のグリップ部１４を片手で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、機器ケース１のグリップ部１４を片手で握った際に、ユーザの把握手がグリップ部１４にフィットする。
【００５８】
このようにユーザが機器ケース１のグリップ部１４を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００５９】
また、ユーザが機器ケース１のグリップ部１４を握った際には、示指Ｆ２が盛上り部１５の第１の指掛領域１７の傾斜面、つまりグリップ部１４側に位置するえぐれ部１６の傾斜面に配置されるので、このえぐれ部１６の傾斜面である第１の指掛領域１７に設けられた釦挿入孔２１に挿入された下面トリガーキー２０の操作釦２０ｂを示指Ｆ２で容易に操作することができる。
【００６０】
すなわち、ユーザが機器ケース１のグリップ部１４を片手で握った際には、ユーザが把握する手の示指Ｆ２が屈曲した形状で、その示指Ｆ２の腹が第１の指掛領域１７にその湾曲に沿って押し当てられて、第１の指掛領域１７を機器ケース１の下辺部側つまりユーザが把握する手側に向けて引き寄せた状態で、示指Ｆ２の腹を釦挿入孔２１に強く押し込むと、下面トリガーキー２０の操作釦２０ｂが示指Ｆ２の腹によって押し込まれて、下面トリガーキー２０のスイッチ本体２０ａをオン動作させる。
【００６１】
このように、下面トリガーキー２０がオン動作すると、機器ケース１の幅広部１ａの裏面に設けられた光学読取部６が駆動されて、レーザ読取部がレーザ光線を読取突起部６ａの第１窓部６ｂから機器ケース１の外部に出射させ、そのレーザ光線の反射光を受光することにより、物品のバーコードなどを読み取る。また、このときには、光学読取部６の撮像部が第２窓部６ｃを通してレーザ読取部で読み取る物品の画像を撮影する。
【００６２】
このように、この携帯端末によれば、電池挿脱のための開口部１１ａが、端末本体である機器ケース１の一端に偏った位置であって機器ケース１の所定の面側である裏面側に、設けられた電池収納部１１と、開口部１１ａを覆うための電池蓋１０と、機器ケース１の裏面側であって電池収納部１１よりも機器ケース１の他端寄りに設けられた下面トリガーキー２０と、を備え、電池蓋１０が、機器ケース１の一端から下面トリガーキー２０を超えた位置まで延長されて設けられていることにより、下面トリガーキー２０が外部からの衝撃を受け難くして、下面トリガーキー２０を良好に保護することができる。
【００６３】
すなわち、この携帯端末では、電池蓋１０が機器ケース１の下辺部から上辺部側の下面トリガーキー２０を超えた領域に亘って延長された状態で、機器ケース１の裏面に取り付けられているので、下面トリガーキー２０が対応する機器ケース１の裏面を電池蓋１０で確実に覆うことができ、これにより機器ケース１の裏面を電池蓋１０で確実にかつ良好に保護することができる。
【００６４】
このため、この携帯端末では、外部からの衝撃を電池蓋１０で受け止めることができるので、下面トリガーキー２０が対応する機器ケース１の裏面が直接、外部からの衝撃を受けないようにすることができ、これにより下面トリガーキー２０を衝撃から良好に保護することができる。また、外部からの衝撃などによって電池蓋１０が傷付いたり破損したりしても、電池蓋１０を交換することができるので、機器ケース１をそのまま使用することができる。
【００６５】
この場合、下面トリガーキー２０は、被押圧操作部である操作釦２０ｂが電池蓋１０から露出するように設けられていることにより、下面トリガーキー２０を良好に操作することができる。すなわち、この携帯端末では、ユーザが手で機器ケース１を握った状態で、電池蓋１０から露出する下面トリガーキー２０を良好に操作することができる。
【００６６】
また、この携帯端末では、電池蓋１０が所定の面である裏面に膨らみを持たせる形状に形成されていることにより、ユーザが手で機器ケース１を握る際に、電池蓋１０の膨らみにユーザが手の指をあてがうことができ、これによりユーザが手で機器ケース１を握り易くすることができるので、ユーザが手で機器ケース１を良好に握ることができ、この状態で下面トリガーキー２０を良好に操作することができる。
【００６７】
すなわち、この携帯端末では、ユーザが母指Ｆ１を機器ケース１の表面に被せ機器ケース１の脇側から延ばした少なくとも示指Ｆ２と中指Ｆ３とで機器ケース１の裏面を支えるような把握態様で当該機器ケース１を把握するときに、ユーザが把握する手の示指Ｆ２と中指Ｆ３との間に頭頂部１５ａが位置するように、電池蓋１０に膨らみを持たせた形状の盛上り部１５を設けることにより、ユーザがグリップ部１４を把握する手の示指Ｆ２の腹を盛上り部１５の示指Ｆ２側に位置する斜面領域である第１の指掛領域１７に押し当てることができる。
【００６８】
これにより、この携帯端末では、ユーザが把握する手の示指Ｆ２の腹を電池蓋１０の盛上り部１５の傾斜面である第１の指掛領域１７に、盛上り部１５における下辺部側つまりユーザが把握する手側に向けて、押し当てることができるので、示指Ｆ２を機器ケース１の下辺部側に位置するユーザの把握手側に向けて引き寄せることができ、これにより機器ケース１をユーザが確実にかつ良好に握って、機器ケース１を把握することができる。
【００６９】
この場合、機器ケース１は、その裏面に電池蓋１０の膨らみを持たせる形状と同じ形状の膨らみを持った形状の蓋保持部２３が設けられていることにより、電池蓋１０が電池収納部１１の開口部１１ａを覆って機器ケース１の裏面に取り付けられた際に、電池蓋１０が膨らみを持たせる形状であっても、蓋保持部２３によって電池蓋１０を良好にかつ確実に保持することができる。
【００７０】
また、この携帯端末では、電池収納部１１及び下面トリガーキー２０が、ユーザが所定の態様で機器ケース１を把握するためのグリップ部１４に設けられていることにより、電池収納部１１及び下面トリガーキー２０を備えていても、ユーザがグリップ部１４を良好に握ることができる。
【００７１】
すなわち、この携帯端末では、ユーザが母指Ｆ１を機器ケース１の表面に被せ機器ケース１の脇側から延ばした少なくとも示指Ｆ２と中指Ｆ３とで機器ケース１の裏面を支えるような把握態様でユーザがグリップ部１４を把握したときに、ユーザが把握する手の示指Ｆ２によって操作可能な下面トリガーキー２０が膨らみを持たせた形状の盛上り部１５の斜面領域である第１の指掛領域１７に対応した状態で、機器ケース１の内部に設けられていることにより、ユーザが把握する手の示指Ｆ２によって下面トリガーキー２０を良好に操作することができる。
【００７２】
すなわち、この携帯端末では、下面トリガーキー２０が盛上り部１５の斜面領域である第１の指掛領域１７から被押圧部である操作釦２０ｂを露出させるように設けられていることにより、ユーザが母指Ｆ１を機器ケース１の表面に被せ機器ケース１の脇側から延ばした少なくとも示指Ｆ２と中指Ｆ３とで機器ケース１の裏面を支えるような把握態様で、グリップ部１４を把握したときに、ユーザが把握する手の示指Ｆ２を下面トリガーキー２０に対応させて配置させることができ、この状態で下面トリガーキー２０を操作することができるので、下面トリガーキー２０の操作性を向上させることができる。
【００７３】
この場合、電池蓋１０は、ユーザが所定の把握態様で機器ケース１を把握するためのグリップ部１４に設けられていることにより、電池蓋１０をユーザが手で握り易い形状に形成することができ、これによりグリップ部１４をユーザが手で握り易くすることができる。
【００７４】
すなわち、この携帯端末では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが一方の手でグリップ部１４を把握する際に、ユーザが手で握り易い形状に電池蓋１０を形成することにより、グリップ部１４にユーザが把握する手を自然に巻き付くように配置させることができ、これによりユーザが把握する手をグリップ部１４に良好にフィットさせて把握することができる。
【００７５】
この場合、この携帯端末では、電池蓋１０がグリップ部１４の裏面を形成していることにより、ユーザの把握する手が機器ケース１のグリップ部１４に自然に巻き付くような形状に形成するために、ユーザの把握する手が自然に巻き付くような形状に電池蓋１０を形成すれば良いので、機器ケース１の形状が複雑にならず、機器ケース１を容易に製作することができる。
【００７６】
また、機器ケース１の裏面には、下面トリガーキー２０の両側に位置する電池蓋１０の縁部を機器ケース１の裏面に取り付けるための一対の取付レバー１３が設けられていることにより、機器ケース１の幅狭部１ｂに設けられた電池収納部１１の開口部１１ａを覆って電池蓋１０を機器ケース１の裏面に配置させた際に、電池蓋１０の縁部を一対の取付レバー１３に対応させることができ、この状態で一対の取付レバー１３を回転操作させることにより、電池蓋１０の縁部を機器ケース１の裏面に押え付けて係止させることができるので、電池蓋１０を簡単に機器ケース１に取り付けることができる。
【００７７】
さらに、この電池蓋１０は、機器ケース１の一端部である下辺部に配置される電池蓋１０の端部に設けられた支点突起部１０ａを支点として、電池蓋１０が開閉することにより、機器ケース１の幅狭部１ｂに設けられた電池収納部１１の開口部１１ａを電池蓋１０で良好に覆って、電池蓋１０を機器ケース１の裏面に簡単にかつ確実に配置させることができるので、電池蓋１０の開閉操作が容易にかつ良好にできる。
【００７８】
なお、上述した実施形態では、機器ケース１の表面に表示部４とキー操作部５とを設けた場合について述べたが、この発明はこれに限らず、例えばキー操作部を透明なタッチパネルで形成して表示パネルを積層させた入力表示部であっても良い。
【００７９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８０】
（付記）
請求項１に記載の発明は、電池挿脱のための開口部が、端末本体の一端に偏った位置であって前記端末本体の所定の面側に、設けられた電池収納部と、前記開口部を覆うための電池蓋と、前記端末本体の前記所定の面側であって前記電池収納部よりも前記端末本体の他端寄りに設けられたスイッチ部と、を備え、前記電池蓋は、前記一端から前記スイッチ部を超えた位置まで延長されて設けられている、ことを特徴とする携帯端末である。
【００８１】
請求項２に記載の発明は、請求項１に記載の携帯端末において、前記スイッチ部は、被押圧操作部が前記電池蓋から露出するように設けられている、ことを特徴とする携帯端末である。
【００８２】
請求項３に記載の発明は、請求項１または請求項２に記載の携帯端末において、前記所定の面に膨らみを持たせる形状に形成されている、ことを特徴とする携帯端末である。
【００８３】
請求項４に記載の発明は、請求項１〜請求項３のいずれかに記載の携帯端末において、前記電池収納部及び前記スイッチ部は、ユーザが所定の態様で前記端末本体を把握するためのグリップ部に設けられている、ことを特徴とする携帯端末である。
【００８４】
請求項５に記載の発明は、請求項１〜請求項３のいずれかに記載の携帯端末において、前記電池蓋は、ユーザが所定の態様で前記端末本体を把握するためのグリップ部に設けられている、ことを特徴とする携帯端末である。
【符号の説明】
【００８５】
１  機器ケース
２  上部ケース
３  下部ケース
４  表示部
５  キー操作部
１０  電池蓋
１０ａ  支点突起部
１１  電池収納部
１１ａ  開口部
１４  グリップ部
１５  盛上り部
１５ａ  頭頂部
１７  第１の指掛領域
１７ａ  延長部
１８  第２の指掛領域
２０  下面トリガーキー
２０ａ  スイッチ本体
２０ｂ  操作釦
２０ｃ  スイッチ保持部
２１  釦挿入孔
２３  蓋保持部
２３ａ  釦孔
【図１】
2019022159.tif 000003
【図２】
2019022159.tif 000004
【図３】
2019022159.tif 000005
【図４】
2019022159.tif 000006
【図５】
2019022159.tif 000007
【図６】
2019022159.tif 000008
【図７】
2019022159.tif 000009
【図８】
2019022159.tif 000010
【図９】
2019022159.tif 000011
【図１０】
2019022159.tif 000012